(57)【要約】      （修正有）【課題】ワイヤーの他端に連結した自転車用錠を施錠させるように構成したスタンドロック装置を提供する。【解決手段】脚部２とスタンドロック板３を備えた取付け板に掛止部６を設け、ロック板側に設けロック部７を係合させるようにした自転車用スタンドロック装置において、スタンドロック板にロック部とは別に当接部１３を設け、取付け板に固定したブラケット８にワイヤーガイド部９を取り付けて、復元ばね１１とワイヤー１０を嵌装し、ワイヤーの当接子１２の先端部をガイド部の端面から突出させ、この先端部を上記ロック板の揺動軌跡内に介入させ、スタンドロック時に、上記当接部１３と当接子１２を係合させてワイヤーを押し上げ、該ワイヤーの他端に連結した自転車用錠を施錠させるように構成した。【選択図】図１
2005096606.tif 000002
【特許請求の範囲】
【請求項１】
脚部とスタンドロック板を揺動可能に備えた取付け板側の適宜位置に掛止部を設け、この掛止部と接離するロック部をスタンドロック板側に設け、脚部の起立位置で掛けたスタンドロック板のロック部を取付け板の上記掛止部に係合させるようにした自転車用スタンドロック装置において、上記ロック部とは別にスタンドロック板に当接部を設け、上記取付け板に固定したブラケットに筒型のスライドガイド部を取り付け、このガイド部内に、復元ばねとともにワイヤーを嵌装し、該ワイヤーの先端に固定した当接子の先端部を上記ガイド部の端面から突出させ、この先端部を上記スタンドロック板の揺動軌跡内に介入させ、スタンドのロック時に、上記当接部との係合により上記当接子を介してワイヤーを押し上げて、該ワイヤーの他端に連結した自転車用錠に施錠動作を生じさせるように構成したことを特徴とする自転車用スタンドロック装置。
【請求項２】
前記ワイヤーの他端に連結する自転車用錠は、自転車のハンドルポストに取り付けられてハンドルの回転を不能にするハンドルロック錠であって、前記ワイヤーの他端を、このハンドルロック錠のロック部材を作動させる回転レバーに連結したことを特徴とする請求項１記載の自転車用スタンドロック装置。
【請求項３】
前記取付け板は、前記スライドガイド部の近傍に、第２のスライドガイド部を備え、この第２のスライドガイド部には、別に備えた第２の自転車用錠の錠杆の施錠動作に連動して前進する第２のワイヤーを嵌装し、該ワイヤーの先端に固定した係合子を、上記第２の自転車用錠の施錠時に、この係合子の先端部分を前記スタンドロック部のロック部の揺動軌跡内に介入させて該ロック板の解除方向への揺動を阻止しするようにしたことを特徴とする請求項１または２記載の自転車用スタンドロック装置。
【発明の詳細な説明】
【技術分野】
【０００１】
本発明は、自転車用スタンドロック装置に関し、起立させたスタンドをロックするスタンドロック板の揺動動作に連動するワイヤーを備えて、該ワイヤーの他端に接続した自転車用錠を施錠させるようにしたことを特長とするものである。
【背景技術】
【０００２】
スタンドの起立状態をロックするスタンドロック板側にロック部を設け、このロック部を取付け板側に設けた掛止部に係合させてスタンドの位置（跳ね上げまたは起立位置）を強固にロックするようにした自転車用スタンドロック装置は、例えば、特許文献１、２などで周知である。
また、自転車用スタンドロック装置において、スタンドの起立動作に自転車用錠の施錠動作を連動させるようにしたものには、例えば、特許文献３、４がある。
【０００３】
【特許文献１】実開平６−８１８８２号公報
【特許文献２】実開平７−１１４９２号公報
【特許文献３】特開２００１−２１３３７１号公報
【特許文献４】特開２００２−１７８９７０号公報
【０００４】
特許文献１のスタンド装置は、スタンドの跳ね上げた状態をロックして、自転車の安全走行を目的とするものであって、起立状態のスタンドをロックするものではない。
特許文献２のスタンドは、取付け板側に掛止部を設け、この掛止部にロック板側に設けたロック部を掛止させることによって、起立状態のスタンドを強固にロックしようとするものであるが、自転車用錠とは関係がなく、錠前を必要とするときは別に備えなければならない。
【０００５】
特許文献３のスタンド装置は、スタンドの起立状態を、取付け板側の掛止部にロック板側のロック部を掛止させる一方、取付け板側に施錠機構を備えた自転車用錠取り付けて、その施錠操作によりロック板を施錠（ロック）するものあって、スタンドの起立状態を固定するロック板のロック操作と、自転車用錠の施錠操作とが連動するものではない。
また、特許文献４の自転車用錠は、スタンドの起立に連動するワイヤーの動作に自転車用錠の錠杆を従動させるようにしたものであるが、前２者のように、取付け板側に設けた掛止部にロック板側に設けたロック部を掛止させることによって、起立状態のスタンドを強固にロックできるようにしたものではなかった。
【発明の開示】
【発明が解決しようとする課題】
【０００６】
本発明が解決しようとする問題点は、取付け板側に設けた掛止部にロック板側に設けたロック部を掛止させて、スタンドの起立状態を強固にロックできるようにした自転車用スタンドロック装置において、スタンドをロックするときのロック板の揺動動作に自転車用錠の施錠動作を連動させるようにすることにある。
【課題を解決するための手段】
【０００７】
そこで本発明は、上記の課題を解決するために、脚部とスタンドロック板を揺動可能に備えた取付け板側の適宜位置に掛止部を設け、この掛止部と接離するロック部をスタンドロック板側に設け、脚部の起立位置で掛けたスタンドロック板のロック部を取付け板の上記掛止部に係合させるようにした自転車用スタンドロック装置において、上記ロック部とは別にスタンドロック板に当接部を設け、上記取付け板に固定したブラケットに筒型のスライドガイド部を取り付け、このガイド部内に、復元ばねとともにワイヤーを嵌装し、該ワイヤーの先端に固定した当接子の先端部を上記ガイド部の端面から突出させ、この先端部を上記スタンドロック板の揺動軌跡内に介入させ、スタンドのロック時に、上記当接部との係合により上記当接子を介してワイヤーを押し上げて、該ワイヤーの他端に連結した自転車用錠に施錠動作を生じさせるように構成したことを特徴とする自転車用スタンドロック装置を提供するものである。
【発明の効果】
【０００８】
本発明に係る自転車用スタンドロック装置は、起立させたスタンドをロックするロック板の揺動操作とともに、自転車用錠の施錠が同時にできる。したがって、ロック板の掛け忘れと施錠の掛け忘れを防止して、投げやりな駐輪の仕方を防いだ確実な駐輪と盗難防止を促進することができる。
【発明を実施するための最良の形態】
【０００９】
取付け板側に設けた掛止部にロック板側に設けたロック部を掛止させて、スタンドの起立状態を強固にロックできるようにした自転車用スタンドロック装置において、スタンドロック板に上記ロック部とは別に当接部を設け、上記取付け板側に備えたワイヤーガイド部内に、復元ばねとともに先端に当接子を固定したワイヤーを嵌装し、ワイヤーガイド部の端面から突出させた当接子の先端部をスタンドロック板の揺動軌跡内に介入させ、スタンドをロックするロック板の動作に、当接子をロック板に具えた当接部に係合させてワイヤーを押し上げさせ、該ワイヤーの他端に連結した自転車用錠に施錠動作を生じさせて、ロック板の揺動操作に自転車用錠の施錠を従動させるようにした。
【実施例】
【００１０】
以下に、本発明の実施例を図面について説明する。  
図１は、スタンドの起立状態における一部切欠側面図、図２は、この実施例においてワイヤーに連動させるハンドルロック錠の要部を示す分解斜視図、図３は、ハンドルロック錠とワイヤーの接続部分の一部切欠側面図、図４は、ワイヤーの押し上げにロックレバーが従動する状態を示す一部切欠側面図、図５は、非施錠状態におけるハンドルロック錠の一部切欠側面図、図６は、ハンドルロック錠の施錠状態を示す一部切欠側面図、図７は、第２のワイヤーに連動する自転車用錠を示す一部切欠平面図である。
【００１１】
図において、１は、脚部２とスタンドロック板３を揺動可能に備えた取付け板、４は、脚部（スタンド）２の支持軸、５は、ロック板（スタンドロック板）３の支点軸、６は、取付け板１の下縁の適宜位置をコ字形に切欠して設けた掛止部、７は、図１に示すように起立させた脚部２にロックを掛けたときに、掛止部６に係合されるようロック板３の前端部分に設けたロック部、８は、取付け板１の下縁に取り付けたブラケット、９は、ブラケット８の前端部に取り付けた筒型のワイヤーガイド部、１０は、復元ばね１１とともにワイヤーガイド部９に嵌装したワイヤー、１２は、ワイヤー１０の先端１０’（図示右端）を固定し、ワイヤーガイド部９の端面（図示右手）に臨出して上記ロック板３の揺動軌跡内に介入し、上記ロック部７とは別にロック板３に設けた当接部１３と接してワイヤー１０を押し上げるように作動する当接子である（図１参照）。
【００１２】
この実施例において、ワイヤー１０の他端１０”（図示左端）を接続する自転車用錠には、自転車のハンドルポスト（図示省略）取り付けられてハンドルを非回転にロックするハンドルロック錠Ａを採用している。
図３に示すように、このハンドルロック錠Ａは、それぞれの中心にハンドルポストを挿通する下ケース１４と上ケース１５とカバー１６との３部材でハウジングを形成し、上ケース１５の端部にねじ止めされる支持部材１７に、インナーキャップ１８で覆われたワイヤー１０の他端部１０”を挿入し、同キャップ１８の上端を、ケース１５内に横架した回転レバー軸１９に一体形成した椀形のレバー２０の内面に下側から当接させて、前記ワイヤー１０の押し上げ動作をこの回転レバー軸１９の（図示反時計回りの）回転動作に変換する。
【００１３】
回転レバー軸１９は、図２に示すように、一端にコイル形の復元ばね２１を嵌装し、中間に上記椀形のレバー２０と鈎形のレバー２２を突出させ、他端を軸受け板２３に軸受けさせてケース１５内に横架され、上記ワイヤー１０の押し上げ動作に基づく反時計回りの回転動作を鈎形のレバー２２を介してハンドルロック錠Ａの施錠動作に変換する（図５、６参照）。
【００１４】
上ケース１５は、図５に示すように、下ケース１４の内周に嵌めたベアリング２４を下部外周面で押え、凹部２５を外周に縦に等間隔に配置してハンドルポストに固定される押え部材２６を回転自在に中心に嵌合し、内側面に開口する中空のガイド部２７内に、上記凹部２５と係合してハンドルを非回転にロックするブロック形のロック部材２８と、ロック部材２８のプッシュばね２９とを備え、前記回転レバー軸１９の回転に伴う鈎形のレバー２２の回転動作はこのロック部材２８に伝達され、図６に示すように前後のストロークａを生じさせる。
【００１５】
中空のガイド部２７内で常時プッシュばね２９に付勢されるロック部材２８は、その前進時に押え部材２６の凹部２５の何れか一つに嵌合してハンドルを非回転に固定する。
以上のように、このスタンドロック装置は、スタンドロック板側のロック部７を取付け板側の掛止部６に嵌合させるスタンドロック操作に従動して、ハンドルロック錠Ａの施錠が同時に行なわれる。
【００１６】
そして、スタンドロックを外すスタンドロック板３の図示反時計回りの揺動操作に伴ってスタンドロック板側の当接部１３がワイヤー１０の当接子１２から離れると、当接子１２とともに（図１中虚線で示す下降位置）、常時復元ばね１１に付勢されているワイヤー１０がブラケット８内を下降し、その下降動作に伴ってハンドルロック錠Ａ内では回転レバー軸１９、椀形のレバー２０、鈎形のレバー２２が復帰し、それに追従して、復元ばね２１の付勢によりロック部材２８がプッシュばね２９を圧縮しつつ押え部材２６の凹部２５内から脱出して、ハンドルロック錠Ａを開錠する。
【００１７】
なお、この実施例では、図１に示すように、取付け板１の下縁に取り付けたブラケット８に、前記ワイヤーガイド部９の近傍に別のワイヤーガイド部３０を互いに平行に設け、この第２のワイヤーガイド部３０に、図７に示すように構成した第２の自転車用錠Ｂ（サークル錠）の円弧形の錠杆Ｂ’の施錠動作と開錠動作とに従動して進退する第２のワイヤー３１を嵌装し、該ワイヤー３１の先端に係合子３２を固定し、この係合子３２の先端部分を上記第２の自転車用錠Ｂの施錠時に、前記スタンドロック板３のロック部７の揺動軌跡内に介入させて該ロック板３の解除方向への揺動を阻止させ、自転車用錠Ｂの施錠によってスタンドのロックの不法な解除を阻止できるようにしている。
【００１８】
第２のワイヤー３１の先端の係合子３２は、図１に示すように、常時は第２のワイヤーガイド部３０内に介設した圧縮ばね３３に付勢される第２のワイヤー３１とともに図示実線位置にあって、スタンドロック板３の揺動軌跡外に位置する。
また、第２のワイヤー３１の他端部３４は、図７に示すように自転車用錠Ｂ内に設けた保持部３５から抜き出て、該保持部３５の前端部（図示上部）に嵌装したスライダー３６に固定され、このスライダー３６を前記錠杆Ｂ’の施錠行程の終端近くで該錠杆Ｂ’の中間に備えたプッシュピン３７と係合させることによって、錠杆Ｂ’の施錠動作に従動して第２のワイヤー３１を下降させる。
なお図中、Ｂ”は錠杆Ｂ’のリターンばね、３８は施錠機構部、３９は、図示の施錠位置に錠杆Ｂ’を掛止するストッパーである。
【００１９】
下降した第２のワイヤー３１は、施錠状態において先端の係合子３２を、図１中に示す実線位置から虚線位置、すなわち、ロック状態にあるロック板３のロック部７と当接部１３との中間に位置させる。
そのため、自転車用錠Ｂが施錠状態にあるときにロック板３のロックを解除しようとすると、下降位置にある係合子３２によってロック部７の回動が阻止されるので、不法にスタンドのロックを外して自転車を持ち去ろうとする行為が防がれるとともに、施錠状態にある自転車用錠Ｂはハンドルロック錠Ａの開錠を阻止するようにも機能する。
【産業上の利用可能性】
【００２０】
上記のように構成した本発明スタンド装置は、スタンドをロックする操作に連動するワイヤーの動作を該ワイヤーの他端に接続した自転車用錠の施錠動作に伝達させるようにしたので、確実な駐輪状態と施錠状態が一操作で済み、自転車の使用上にきわめて便利である。
なお、本発明の実施に際しては採用する自転車用錠の形態、スタンドロック機構の形態は、本発明の目的に沿って、実施例の態様のみに限定されるものではない。
【図面の簡単な説明】
【００２１】
【図１】スタンドの起立状態における一部切欠側面図である。
【図２】実施例においてワイヤーに連動させるハンドルロック錠の要部を示す分解斜視図である。
【図３】ハンドルロック錠とワイヤーの接続部分の一部切欠側面図である。
【図４】ワイヤーの押し上げにロックレバーが従動する状態を示す一部切欠側面図である。
【図５】非施錠状態におけるハンドルロック錠の一部切欠側面図である。
【図６】ハンドルロック錠の施錠状態を示す一部切欠側面図である。
【図７】第２のワイヤーに連動する自転車用錠を示す一部切欠平面図である。
【符号の説明】
【００２２】
１    取付け板
２    脚部（スタンド）
３    スタンドロック板（ロック板）
４    支持軸
５    支店軸
６    掛止部
７    ロック部
８    ブラケット
９    ワイヤーガイド部
１０    ワイヤー  （１０’  一端、  １０”  他端）
１１    復元ばね
１２    当接子
１３    当接部
１４    下ケース
１５    上ケース
Ａ    ハンドルロック錠
１６    カバー
１７    支持部材
１８    インナーキャップ
１９    回転レバー軸
２０    椀形レバー
２１    復元ばね
２２    鈎形レバー
２３    軸受け板
２４    ベアリング
２５    凹部
２６    押え部材
２７    中空ガイド部
２８    ロック部材    （ａ  ストローク）
２９    プッシュばね
３０    第２のワイヤーガイド部
３１    第２のワイヤー
３２    係合子
３３    圧縮ばね
Ｂ    自転車用錠（サークル錠）  （Ｂ’  錠杆    Ｂ”  リターンばね）
３４    第２のワイヤーの他端
３５    保持部
３６    スライダー
３７    プッシュピン
３８    施錠機構
３９    ストッパー
【図１】
2005096606.tif 000003
【図２】
2005096606.tif 000004
【図３】
2005096606.tif 000005
【図４】
2005096606.tif 000006
【図５】
2005096606.tif 000007
【図６】
2005096606.tif 000008
【図７】
2005096606.tif 000009
【手続補正書】
【提出日】平成15年10月3日(2003.10.3)
【手続補正１】
【補正対象書類名】図面
【補正対象項目名】図１
【補正方法】変更
【補正の内容】
【図１】
2005096606.tif 000010
【手続補正２】
【補正対象書類名】図面
【補正対象項目名】図５
【補正方法】変更
【補正の内容】
【図５】
2005096606.tif 000011